【手続補正書】
【提出日】平成24年8月7日(2012.8.7)
【手続補正１】
【補正対象書類名】特許請求の範囲
【補正対象項目名】全文
【補正方法】変更
【補正の内容】
【特許請求の範囲】
【請求項１】
露光により形成されたパターンを有する基板に照明光を照射する照明部と、
前記パターンで反射した照明光を検出して検出信号を出力する検出部と、
パターンを形成する時のフォーカスオフセットと該パターンからの前記検出信号の強度との相関関係に基づいて、露光状態を判定する判定部とを備えて構成されることを特徴とする表面検査装置。
【請求項２】
前記照明部は、前記基板の前記パターンで回折光が発生するように、前記照明光を前記基板の表面に照射し、
前記検出部は、前記基板の前記パターンで発生した前記回折光を検出して前記検出信号を出力することを特徴とする請求項１に記載の表面検査装置。
【請求項３】
前記照明部は、前記照明光として略直線偏光を前記基板の表面に照射し、
前記検出部は、前記略直線偏光の偏光状態の変化を検出して前記検出信号を出力することを特徴とする請求項１または２に記載の表面検査装置。
【請求項４】
前記照明光として紫外光を用いることを特徴とする請求項１から３のいずれか一項に記載の表面検査装置。
【請求項５】
前記相関関係は、複数のフォーカスオフセットと該フォーカスオフセットで形成された各パターンからの検出信号とに基づくことを特徴とする請求項１から４のいずれか一項に記載の表面検査装置。
【請求項６】
前記相関関係が関数近似を用いて求められていることを特徴とする請求項１から５のいずれか一項に記載の表面検査装置。
【請求項７】
前記判定部は、前記相関関係上で検出信号の強度が最大となるフォーカスオフセットに基づいて、前記露光状態を判定することを特徴とする請求項１から６のいずれか一項に記載の表面検査装置。
【請求項８】
前記判定部は、１回の露光で形成されるパターン内の複数の部分からの検出信号の強度に基づいて、前記露光状態を判定することを特徴とする請求項１から７のいずれか一項に記載の表面検査装置。
【請求項９】
前記判定部は、前記露光状態として像面傾斜を判定することを特徴とする請求項８に記載の表面検査装置。
【請求項１０】
前記判定部により判定された前記露光状態を、該露光を行った露光装置に入力可能な信号に変換して出力する信号出力部をさらに備えることを特徴とする請求項１から９のいずれか一項に記載の表面検査装置。
【請求項１１】
前記照明部は、前記照明光として略平行な光束を用いて、前記基板の前記パターンが形成された面の全面を一括照明し、
前記検出部は、前記全面からの光を一括して検出することを特徴とする請求項１から１０のいずれか一項に記載の表面検査装置。
【請求項１２】
露光により形成されたパターンを有する基板に照明光を照射し、
前記パターンで反射した照明光を検出して検出信号を出力し、
パターンを形成する時のフォーカスオフセットと該パターンからの前記検出信号の強度との相関関係に基づいて、露光状態を判定することを特徴とする表面検査方法。
【請求項１３】
前記基板の前記パターンで回折光が発生するように、前記照明光を前記基板の表面に照射し、
前記基板の前記パターンで発生した前記回折光を検出して前記検出信号を出力することを特徴とする請求項１２に記載の表面検査方法。
【請求項１４】
前記照明光として略直線偏光を前記基板の表面に照射し、
前記略直線偏光の偏光状態の変化を検出して前記検出信号を出力することを特徴とする請求項１２または１３に記載の表面検査方法。
【請求項１５】
前記照明光として紫外光を用いることを特徴とする請求項１２から１４のいずれか一項に記載の表面検査方法。
【請求項１６】
複数のフォーカスオフセットと該フォーカスオフセットで形成された各パターンからの検出信号とから、前記相関関係を求めることを特徴とする請求項１２から１５のいずれか一項に記載の表面検査方法。
【請求項１７】
関数近似を用いて前記相関関係を求めることを特徴とする請求項１２から１６のいずれか一項に記載の表面検査方法。
【請求項１８】
前記相関関係上で検出信号の強度が最大となるフォーカスオフセットに基づいて、前記露光状態を判定することを特徴とする請求項１２から１７のいずれか一項に記載の表面検査方法。
【請求項１９】
１回の露光で形成されるパターン内の複数の部分からの検出信号の強度に基づいて、前記露光状態を判定することを特徴とする請求項１２から１８のいずれか一項に記載の表面検査方法。
【請求項２０】
前記露光状態として像面傾斜を判定することを特徴とする請求項１９に記載の表面検査方法。
【請求項２１】
前記判定した前記露光状態を、該露光を行った露光装置に入力可能な信号に変換して出力することを特徴とする請求項１２から２０のいずれか一項に記載の表面検査方法。
【請求項２２】
前記照明光として略平行な光束を用いて、前記基板の前記パターンが形成された面の全面を一括照明し、
前記全面からの光を一括して検出することを特徴とする請求項１２から２１のいずれか一項に記載の表面検査方法。
【手続補正２】
【補正対象書類名】明細書
【補正対象項目名】発明の名称
【補正方法】変更
【補正の内容】
【発明の名称】表面検査装置および表面検査方法
【手続補正３】
【補正対象書類名】明細書
【補正対象項目名】０００６
【補正方法】変更
【補正の内容】
【０００６】
本発明は、このような問題に鑑みてなされたものであり、露光装置の相対的な光学的像面を精度よく計測可能な装置および方法を提供することを目的とする。
【手続補正４】
【補正対象書類名】明細書
【補正対象項目名】０００７
【補正方法】変更
【補正の内容】
【０００７】
このような目的達成のため、本発明に係る表面検査装置は、露光により形成されたパターンを有する基板に照明光を照射する照明部と、前記パターンで反射した照明光を検出して検出信号を出力する検出部と、パターンを形成する時のフォーカスオフセットと該パターンからの前記検出信号の強度との相関関係に基づいて、露光状態を判定する判定部とを備えて構成される。
なお、前記照明部は、前記基板の前記パターンで回折光が発生するように、前記照明光を前記基板の表面に照射し、前記検出部は、前記基板の前記パターンで発生した前記回折光を検出して前記検出信号を出力してもよい。
また、前記照明部は、前記照明光として略直線偏光を前記基板の表面に照射し、前記検出部は、前記略直線偏光の偏光状態の変化を検出して前記検出信号を出力してもよい。
【手続補正５】
【補正対象書類名】明細書
【補正対象項目名】０００８
【補正方法】変更
【補正の内容】
【０００８】
また、前記照明光として紫外光を用いてもよい。
また、前記相関関係は、複数のフォーカスオフセットと該フォーカスオフセットで形成された各パターンからの検出信号とに基づいてもよい。
また、前記相関関係が関数近似を用いて求められていてもよい。
【手続補正６】
【補正対象書類名】明細書
【補正対象項目名】０００９
【補正方法】変更
【補正の内容】
【０００９】
また、前記判定部は、前記相関関係上で検出信号の強度が最大となるフォーカスオフセットに基づいて、前記露光状態を判定してもよい。
また、前記判定部は、１回の露光で形成されるパターン内の複数の部分からの検出信号の強度に基づいて、前記露光状態を判定してもよい。
また、前記判定部は、前記露光状態として像面傾斜を判定してもよい。
【手続補正７】
【補正対象書類名】明細書
【補正対象項目名】００１０
【補正方法】変更
【補正の内容】
【００１０】
また、前記判定部により判定された前記露光状態を、該露光を行った露光装置に入力可能な信号に変換して出力する信号出力部をさらに備えてもよい。
また、前記照明部は、前記照明光として略平行な光束を用いて、前記基板の前記パターンが形成された面の全面を一括照明し、前記検出部は、前記全面からの光を一括して検出してもよい。
【手続補正８】
【補正対象書類名】明細書
【補正対象項目名】００１１
【補正方法】変更
【補正の内容】
【００１１】
また、本発明に係る表面検査方法は、露光により形成されたパターンを有する基板に照明光を照射し、前記パターンで反射した照明光を検出して検出信号を出力し、パターンを形成する時のフォーカスオフセットと該パターンからの前記検出信号の強度との相関関係に基づいて、露光状態を判定する。
なお、前記基板の前記パターンで回折光が発生するように、前記照明光を前記基板の表面に照射し、前記基板の前記パターンで発生した前記回折光を検出して前記検出信号を出力してもよい。
また、前記照明光として略直線偏光を前記基板の表面に照射し、前記略直線偏光の偏光状態の変化を検出して前記検出信号を出力してもよい。
【手続補正９】
【補正対象書類名】明細書
【補正対象項目名】００１２
【補正方法】変更
【補正の内容】
【００１２】
また、前記照明光として紫外光を用いてもよい。
また、複数のフォーカスオフセットと該フォーカスオフセットで形成された各パターンからの検出信号とから、前記相関関係を求めてもよい。
また、関数近似を用いて前記相関関係を求めてもよい。
【手続補正１０】
【補正対象書類名】明細書
【補正対象項目名】００１３
【補正方法】変更
【補正の内容】
【００１３】
また、前記相関関係上で検出信号の強度が最大となるフォーカスオフセットに基づいて、前記露光状態を判定してもよい。
また、１回の露光で形成されるパターン内の複数の部分からの検出信号の強度に基づいて、前記露光状態を判定してもよい。
また、前記露光状態として像面傾斜を判定してもよい。
【手続補正１１】
【補正対象書類名】明細書
【補正対象項目名】００１４
【補正方法】変更
【補正の内容】
【００１４】
また、前記判定した前記露光状態を、該露光を行った露光装置に入力可能な信号に変換して出力してもよい。
また、前記照明光として略平行な光束を用いて、前記基板の前記パターンが形成された面の全面を一括照明し、前記全面からの光を一括して検出してもよい。